(57)【要約】【課題】  タブの指掛け部の下方付近でパネル部に指入れ凹部が形成されている開口容易缶蓋について、缶蓋の成形性を悪化させることなく、指入れ凹部の深さと大きさを充分に確保できるようにする。【解決手段】  パネル部２の指入れ凹部１０に指先を入れてタブ６の指掛け部６ａを引き上げることで開口操作を行なうような開口容易缶蓋において、パネル面と略平行な底面１０ａを有する指入れ凹部１０の、該底面１０ａの周囲を囲む傾斜面１０ｂ，１０ｃを、上段１０ｃよりも下段１０ｂの方が傾斜が緩くなるように傾斜角度が異なる複数段の傾斜面１０ｂ，１０ｃの連続として形成する。【選択図】  図２
2006176147.tif 000002
【特許請求の範囲】
【請求項１】
開口片を画成するためのスコア線が刻設された缶蓋のパネル部に、開口操作のためのタブがリベット部で固着され、リベット部から離れたタブの一端側の指掛け部に対し、その下方付近でパネル部に指入れ凹部が形成され、パネル部の指入れ凹部に指先を入れてタブの指掛け部を引き上げることで開口操作を行なうような開口容易缶蓋において、パネル面と略平行な底面を有する指入れ凹部の、該底面の周囲を囲む傾斜面が、上段よりも下段の方が傾斜が緩くなるように傾斜角度が異なる複数段の傾斜面の連続として形成されていることを特徴とする開口容易缶蓋。
【請求項２】
タブの指掛け部の外端部分が、指入れ凹部に対して、その缶蓋半径方向内側の傾斜面で、複数段の傾斜面のうちの最上段の傾斜面の上方に位置していることを特徴とする請求項１に記載の開口容易缶蓋。
【発明の詳細な説明】
【技術分野】
【０００１】
本発明は、飲料缶等の缶容器の天板側の端壁として缶胴に巻締固着される缶蓋で、缶蓋のパネル部にリベット止めされたタブの一端側を指掛け部として引き上げることで開口操作を行なうような開口容易缶蓋に関し、特に、タブの指掛け部の下方付近で、パネル部に指入れ用の凹部を形成することにより、開口操作時にタブの指掛け部に指先を掛け易いようにした開口容易缶蓋に関する。
【背景技術】
【０００２】
従来から、飲料用の缶容器では、缶容器の天板側の端壁として缶胴に巻締固着される開口容易缶蓋（イージーオープンエンド）として、缶蓋のパネル部にリベット止めされたタブの一端側を指掛け部として引き上げることにより、缶蓋のパネル部のスコア線で囲まれた開口片の部分を缶内に押し下げて、タブや開口片を缶蓋から切り離すことなく、缶蓋のパネル部の一部分を飲み口として部分的に開口するようなステイオンタブ方式の缶蓋が多く使用されており、そのような開口容易缶蓋では、タブの指掛け部を指先で引き上げる際の指掛けを容易にするために、タブの指掛け部の近傍の下方で、パネル部に指入れ用の凹部を形成するということが一般的に行なわれている（例えば、下記の特許文献１，２等参照）。
【特許文献１】特開２０００−１５９２２８号公報
【特許文献２】特開２００２−５９９２８号公報
【発明の開示】
【発明が解決しようとする課題】
【０００３】
ところで、上記のような指入れ用の凹部を有する開口容易缶蓋については、近年、人差し指だけでなく親指でもタブに指を掛け易くするために、指入れ凹部の深さと大きさを今までよりも大きくすることが検討されている。しかしながら、缶蓋のパネル部に形成される指入れ凹部の深さを充分に確保した状態で大きさ（所定以上の深さを有する部分の面積）を拡大しようとする場合、缶蓋の性能や積み重ね性（スタック性）等との兼ね合いから、拡大できる範囲は制限されることとなる。
【０００４】
すなわち、指入れ凹部の幅を缶蓋半径方向に拡大しようとする場合、パネル部の周縁部に近づき過ぎるように拡大すると、缶蓋の耐圧強度が低下することとなり、一方、タブの指掛け部の下方に入り込み過ぎるように拡大すると、缶蓋の単体同士を重ね合わせた時に、上側の缶蓋の指入れ凹部と下側の缶蓋のタブの指掛け部とが重なることで、指入れ凹部の底面や傾斜面の下面側が擦れて傷付いたり、また、積み重ね性（スタック性）が悪くなって、多数の缶蓋を連続的に巻締装置に供給する際に、缶蓋の切り出しトラブルが発生したりする可能性がある。
【０００５】
そこで、指入れ凹部の幅を、缶蓋半径方向に拡大することなく、缶蓋円周方向に拡大した場合、凹部は平面形状で缶蓋円周方向に長い形状となるが、そのような指入れ凹部の広い範囲で充分な深さを確保しようとすると、凹部の缶蓋円周方向の端部付近で、凹部の底面から斜め上方に続く傾斜面が急傾斜となり、凹部の底面と傾斜面との接続部での折れ曲がり度合いが大きくなる（接続部での繋ぎＲ形状が小径になる）。その結果、缶蓋のプレス成形時に、指入れ凹部の底面と傾斜面との接続部の付近での成形性が悪くなって、部分的な薄肉化や缶蓋内面品位の低下などが生じる可能性がある。
【０００６】
本発明は、上記のような問題の解消を課題とするものであり、具体的には、タブの指掛け部の下方付近でパネル部に指入れ凹部が形成されている開口容易缶蓋について、缶蓋の成形性を悪化させることなく、指入れ凹部の深さと大きさを充分に確保できるようにすることを課題とするものである。
【課題を解決するための手段】
【０００７】
本発明は、上記のような課題を解決するために、開口片を画成するためのスコア線が刻設された缶蓋のパネル部に、開口操作のためのタブがリベット部で固着され、リベット部から離れたタブの一端側の指掛け部に対し、その下方付近でパネル部に指入れ凹部が形成され、パネル部の指入れ凹部に指先を入れてタブの指掛け部を引き上げることで開口操作を行なうような開口容易缶蓋において、パネル面と略平行な底面を有する指入れ凹部の、該底面の周囲を囲む傾斜面が、上段よりも下段の方が傾斜が緩くなるように傾斜角度が異なる複数段の傾斜面の連続として形成されていることを特徴とするものである。
【発明の効果】
【０００８】
上記のような本発明の開口容易缶蓋によれば、親指でもタブに容易に指掛けできるように、パネル部の指入れ凹部を、缶蓋円周方向で幅を拡大して、その広い範囲で深さを充分に確保できるようにしても、指入れ凹部の傾斜面を複数段に形成していることで、同じ傾斜角度で連続した一つの傾斜面の場合と比べて、底面と傾斜面との接続部（及び傾斜面同士の接続部）での折れ曲がり度合いを緩和することができる。その結果、缶蓋のプレス成形時に、指入れ凹部の底面と傾斜面との接続部（及び傾斜面同士の接続部）での成形ダメージを低く抑えることができて、当該部分で部分的な薄肉化や内面品位の低下などが発生するのを防止することができる。
【発明を実施するための最良の形態】
【０００９】
タブの指掛け部の下方付近でパネル部に指入れ凹部が形成されている開口容易缶蓋について、缶蓋の成形性を悪化させることなく、指入れ凹部の深さと大きさを充分に確保できるようにするという目的を、最良の形態として以下の実施例に具体的に示すように、パネル面と略平行な底面を有する指入れ凹部の、該底面の周囲を囲む傾斜面を、上段よりも下段の方が傾斜が緩くなるように傾斜角度が異なる複数段の傾斜面の連続として形成するということで実現した。
【実施例】
【００１０】
本実施例の開口容易缶蓋は、飲料用の缶容器に使用するステイオンタブ方式の開口容易缶蓋であって、図１に示すように、缶蓋１では、パネル部２とカウンターシンク部３とフランジ部４とが一体的にプレス成形されている本体部分に対して、それとは別体に形成された開口操作用のタブ６が、略円板状のパネル部２の略中央に一体的に形成されたリベット部５でのリベット止めによって固着されている。なお、図示していないが、缶胴との巻締固着部分となるフランジ部４の裏面側には、有機高分子製のシール剤が塗布されて付着される。
【００１１】
缶蓋１の略円板状のパネル部２には、破断可能なスコア線７（なお、開口時に破断する外側の主スコア線７に対して、破断しない内側の副スコア線が二重線の状態で設けられている）が、その一部分がリベット部５に近接して沿うように刻設されており、スコア線７（開口時に破断する主スコア線）によって囲まれた領域が、開口時に缶内に押し下げられる開口片８の部分となっていて、スコア線７の両端部の間の部分は、開口時にパネル部２と開口片８とを繋ぐヒンジ部分となる。なお、開口片８となる部分には、当該部分の剛性を高めるために補強突起８ａが形成されている。
【００１２】
スコア線７で囲まれたパネル部２の開口片８に対して、開口操作用のタブ６は、その一端側が指掛け部６ａとしてリベット部５を挟んで開口片８とは反対側に位置し、その他端側が押下げ部６ｂとして開口片８の上方に位置するように、開口片８の領域外で、パネル部２の略中央に形成されたリベット部５により、パネル部２にリベット止めで固着されている。
【００１３】
タブ６では、全体の外周縁や指掛け部６ａの内側縁の部分で金属板が下面側に折り曲げられており、それらの部分では剛性が極めて高いのに対して、リベット部５によりリベット止めされる部分６ｃの近傍では、一枚の金属板だけで変形し易いようになっている。なお、タブ６の指掛け部６ａは、金属板が下面側に折り曲げられているタブ６の他の外周部分に比べて、それよりは厚さが薄くなるように（例えば、１．０ｍｍ程度の厚さとなるように）形成されており、それによって、パネル面との間の隙間をできるだけ大きくして指掛かり性が向上されるようにしている。
【００１４】
そのようなタブ６とパネル部２の開口片８の領域を内包するように、パネル部２には、底面９ａとそれを囲む傾斜面９ｂとからなる広くて浅いパネル凹部９が形成されており、それによって、缶蓋上面でのタブ６の突出の度合いが低く抑えられると共に、パネル部２の全体的な剛性が高められている。また、パネル部２には、タブ６の指掛け部６ａの付近の下方に、指掛け部６ａを摘み易くするための指入れ凹部１０が、パネル凹部９の傾斜面９ｂの一部分と連なった状態で、パネル凹部９の底面９ａから更に下方に凹むように形成されている。
【００１５】
さらに、パネル部２には、リベット部５を回動支点としてタブ６が横ずれ回動するのを防止するタブ回り止め用の左右一対の突起部１１が、指掛け部６ａの基部付近の下方でタブ６の裏側に嵌まり込むように形成されている。なお、本実施例の缶蓋１では、この突起部１１は、上段部分１１ａと下段部分１１ｂの２段構造となっており、上段部分１１ａはタブ６の裏側の窪み部に嵌り込み、下段部分１１ｂの周縁部分は缶内圧により変形する変形容易部となっていて、缶蓋１が単体（缶本体に巻締め固着される前）の状態で、下段部分１１ｂの上面は、パネル面（パネル凹部９の底面９ａ）と略同じ高さとなって、タブ６の下面と接触している。
【００１６】
そのような変形容易部を有する突起部１１によれば、炭酸飲料やビール等の発泡性飲料を内容物とする陽圧の飲料缶詰に缶蓋１を使用した際に、内容物の充填・密封によって発生する５０ｋＰａ〜３００ｋＰａ程度の缶内圧により、突起部１１は下段部分１１ｂは、その周縁部分が上方に膨出するように変形するが、この突起部１１の下段部分１１ｂの変形により、タブ６の指掛け部６ａをパネル面（パネル凹部９の底面９ａ）から浮き上がらせることとなって、タブ６の指掛け部６ａに指を掛け易くなる。
【００１７】
ところで、上記のような缶蓋１では、タブ６の指掛け部６ａに指を掛け易くするために、指掛け部６ａの付近の下方のパネル部２（パネル凹部９の底面９ａ）には指入れ凹部１０が形成されているが、この指入れ凹部１０について、本実施例の缶蓋１では、従来よりも缶蓋円周方向で幅が長くなるように形成されている。そして、パネル面（パネル凹部９の底面９ａ）と略平行な凹部１０の底面１０ａの周りを囲む傾斜面は、図２および図３に示すように、連続した２段の傾斜面１０ｂ，１０ｃからなり、且つ、上段の傾斜面１０ｃよりも下段の傾斜面１０ｂの方が傾斜が緩くなるように形成されている。
【００１８】
また、そのような指入れ凹部１０に対して、タブ６の指掛け部６ａは、その外端部分（缶蓋半径方向外側の端部）が、指入れ凹部１０の缶蓋半径方向内側の傾斜面で、２段の傾斜面１０ｂ，１０ｃのうちの上段の傾斜面１０ｃの上方に位置するようになっている。
【００１９】
そのような本実施例の開口容易缶蓋によれば、パネル部２の指入れ凹部１０を、缶蓋円周方向で幅を拡大して、図２および図３に示すように、指入れ凹部１０の広い範囲で深さを充分に確保していることにより、指入れ凹部１０には、人差し指の指先は勿論のこと、親指の指先でも入れることができ、そのため、指入れ凹部１０に親指の指先を入れてタブ６の指掛け部６ａを引き上げることで、力の強い親指によって開口操作を容易に行なうことができる。
【００２０】
しかも、そのように指入れ凹部１０を充分に大きく且つ深くしても、指入れ凹部１０の底面１０ａに続く傾斜面を、２段の傾斜面１０ｂ，１０ｃとして形成していることで、同じ傾斜角度で連続する一つの傾斜面にした場合と比べて、底面１０ａと傾斜面１０ｂとの接続部（及び傾斜面１０ｂと１０ｃとの接続部）での折れ曲がり度合いを緩和することができる。その結果、缶蓋１のプレス成形時に、指入れ凹部１０の折れ曲がり部分（底面１０ａと傾斜面１０ｂとの接続部、及び、傾斜面１０ｂと１０ｃとの接続部）での成形ダメージを低く抑えることができて、当該部分で部分的な薄肉化や内面品位の低下などが発生するのを防止することができる。
【００２１】
また、本実施例では、タブ６の指掛け部６ａの外端部分（缶蓋半径方向外側の端部）を、指入れ凹部１０の缶蓋半径方向内側の傾斜面のうちの上段の傾斜面１０ｃの上方に位置させている、即ち、タブ６の指掛け部６ａと指入れ凹部１０とを、上方から見て（平面視で）必要最少限の範囲で僅かにオーバーラップするように配置していることから、タブ６の指掛け部６ａの外端部分の下方に充分な隙間を確保することができて、指掛かり性を良好なものにできると共に、缶蓋の単体同士を重ね合わせた際に、下側の缶蓋のタブ６の指掛け部６ａと上側の缶蓋の指入れ凹部１０との接触を最小限に抑えることができて、缶蓋の内面が傷付いたり、缶蓋同士の積み重ねが不安定となるのを防止することができる。
【００２２】
以上、本発明の開口容易缶蓋の一実施例について説明したが、本発明は、上記の実施例にのみ限定されるものではなく、例えば、その具体的な構造については、上記の実施例では指入れ凹部の傾斜面を上下２段としているが、３段等のその他の複数段としても良いものであり、また、上記の実施例に示した缶蓋は変形容易部のある突起部１１を備えた陽圧缶用のものであるが、そのようなものに限らず、陰圧缶用の開口容易缶蓋であっても良いものであり、また、ステイオンタブ方式の開口容易缶蓋に限らず、フルオープンタイプの開口容易缶蓋としても実施可能である等、適宜に設計変更可能なものである。
【図面の簡単な説明】
【００２３】
【図１】本発明の開口容易缶蓋の一実施例について、缶蓋の全体を示す平面図。
【図２】図１に示した開口容易缶蓋について、タブの指掛け部の外端部分と指入れ凹部の付近を拡大して示す缶蓋半径方向に沿った断面図。
【図３】図１に示した開口容易缶蓋について、タブの指掛け部の外端部分と指入れ凹部の付近を拡大して示す缶蓋円周方向に沿った断面図。
【符号の説明】
【００２４】
１        缶蓋（開口容易缶蓋）
２        パネル部
５        リベット部
６        タブ
６ａ      （タブの）指掛け部
７        スコア線
８        開口片
１０      指入れ凹部
１０ａ    （指入れ凹部の）底面
１０ｂ    （指入れ凹部の下段の）傾斜面
１０ｃ    （指入れ凹部の上段の）傾斜面
【図１】
2006176147.tif 000003
【図２】
2006176147.tif 000004
【図３】
2006176147.tif 000005